(57)【要約】      （修正有）【課題】ＣＤ等の円盤状記憶媒体「ディスク」が盗難にあっても、その記憶媒体に記憶された情報が窃盗した側に漏洩することを防止する鍵付きディスク収納ケースを提供する。【解決手段】円筒状のケース本体２と、ケース本体２の上部全面を覆う蓋部材３と、蓋部材３に係合する金属製の第１の鍵構成部材４と、ケース本体２に係合する金属製の第２の鍵構成部材５とを有し、第１の鍵構成部材４は蓋部材３の第１のガイド部内にスライド可能に収容され、第２の鍵構成部材５はケース本体２の第２のガイド部内にスライド可能に収容されており、鍵の操作によって第１の鍵構成部材４と第２の鍵構成部材５の係合が為されて施錠されるように構成されている。【選択図】図１
2007145386.tif 000002
【特許請求の範囲】
【請求項１】
情報機器の記憶媒体であるディスクを収容するための鍵付きディスク収容ケースにおいて、円筒状のケース本体と、該ケース本体の上部全面を覆う蓋部材と、該蓋部材に係合する金属製の第１の鍵構成部材と、前記ケース本体に係合する金属製の第２の鍵構成部材とを有し、前記ケース本体はケース本体の底部の容器内側の中心に円筒状で内部空間がケース本体の内外を貫通する第２のガイド部を備え、前記蓋部材は蓋部材の天蓋部の裏面であって容器内側の面の中心に円筒状で内部空間が蓋部材の表裏を貫通する第１のガイド部を備え、前記第１の鍵構成部材は前記蓋部材の第１のガイド部内にスライド可能に収容され、前記第２の鍵構成部材は前記ケース本体の第２のガイド部内にスライド可能に収容されており、鍵の操作によって第１の鍵構成部材と第２の鍵構成部材の係合が為されて施錠されるように構成されていることを特徴とする鍵付きディスク収容ケース。
【請求項２】
前記第１の鍵構成部材は第１の板状部材とその第１の板状部材の下面中央に立設した第１の円筒状部材とを有しており、第１の円筒状部材は前記蓋部材の第１のガイド部の内部に挿通され、第１の円筒状部材の内部上方には鍵穴を有する鍵挿通部材が第１の円筒状部材の内部を回動自在に収容されており、該鍵挿通部材の下方には先端に第１のフックを形成した回転体が第１の円筒状部材の中心軸周りに回転可能に収容され、前記第２の鍵構成部材は第２の板状部材とその第２の板状部材の上面中央に固着され第２のフックが形成された軸部とを有し、その軸部は前記ケース本体の第２のガイド部の内部に挿通され、鍵の操作によって回転体が回転して第１のフックと第２のフックとが係合することで施錠される請求項１記載の鍵付きディスク収容ケース。
【請求項３】
前記第１の鍵構成部材は第１の板状部材とその第１の板状部材の下面中央に立設した第１の円筒状部材とを有しており、第１の円筒状部材は円筒の一部にロックボールの通過用の貫通孔が設けられ且つ前記蓋部材の第１のガイド部の内部に挿通され、第１の円筒状部材の内部上方には鍵穴を有する鍵挿通部材が第１の円筒状部材の内部を回動自在に収容されており、該鍵挿通部材の下方には前記貫通孔と高さ方向で一致する外周位置に部分円弧状断面の溝を形成した回転体が第１の円筒状部材の中心軸周りに回転可能に収容され、前記第２の鍵構成部材は第２の板状部材とその第２の板状部材の上面中央に固着され施錠した状態では前記貫通孔と一致する内周位置にロックボールを収容することの出来る部分球状の窪みが形成された第２の円筒状部材を有し、鍵の操作で前記回転体が回転してロックボールが前記窪みに嵌ることによって施錠される請求項１記載の鍵付きディスク収容ケース。
【発明の詳細な説明】
【技術分野】
【０００１】
本発明は、情報機器の記憶媒体であるディスク類（例えば、コンパクトディスク「ＣＤ」）を収容する鍵付き収容ケースに関する。
【背景技術】
【０００２】
個人情報保護法の施行に伴い、特に、情報機器の記憶媒体等に記憶された個人情報が関係者以外へ漏洩することを防止するための技術の確立が急務となっている。
【０００３】
現在、個人情報を預かる金融関係、信販会社、或いは情報を扱う企業等において、多数の個人情報を記憶した記憶媒体（例えば、コンパクトディスク「ＣＤ」）を、運搬途中に紛失したり、盗難にあったりするケースが散見されるようになった。
このようなトラブルは、発生件数が少なくても、例えば記憶媒体がコンパクトディスク、所謂「ＣＤ」のような場合、１回で漏洩してしまう情報数は万単位に及ぶこともあり、社会的に大きな問題となり始めている。
【０００４】
一般に防犯上の目的で施錠するディスクケースは公知である（特許文献１および２参照）。
然るに、かかる公知技術ではケースの破損等により容易に個人情報を入手することができる。
【特許文献１】特開２００１−８２０１３号公報
【特許文献２】特開２００１−２４１６９号公報
【発明の開示】
【発明が解決しようとする課題】
【０００５】
本発明は上述した従来技術の問題点に鑑みて提案されたものであり、ＣＤ等の円盤状記憶媒体「ディスク」が盗難にあっても、その記憶媒体に記憶された情報が窃盗した側に漏洩することを防止できる鍵付きディスク収納ケースの提供を目的としている。
【課題を解決するための手段】
【０００６】
本発明によれば、情報機器の記憶媒体であるディスクを収容するための鍵付きディスク収容ケースにおいて、円筒状のケース本体（２）と、該ケース本体（２）の上部全面を覆う蓋部材（３）と、該蓋部材（３）に係合する金属製の第１の鍵構成部材（４）と、前記ケース本体（２）に係合する金属製の第２の鍵構成部材（５）とを有し、前記ケース本体（２）はケース本体（２）の底部（２１）の容器内側の中心に円筒状で内部空間（２３ｉ）がケース本体（２）の内外を貫通する第２のガイド部（２３）を備え、前記蓋部材（３）は蓋部材（３）の天蓋部（３１）の裏面であって容器内側の面の中心に円筒状で内部空間（３３ｉ）が蓋部材（３）の表裏を貫通する第１のガイド部（３３）を備え、前記第１の鍵構成部材（４）は前記蓋部材（３）の第１のガイド部（３３）内にスライド可能に収容され、前記第２の鍵構成部材（５）は前記ケース本体（２）の第２のガイド部（２３）内にスライド可能に収容されており、鍵の操作によって第１の鍵構成部材（４）と第２の鍵構成部材（５）の係合が為されて施錠されるように構成されている（図１〜図２５）。
【０００７】
前記第１の鍵構成部材（４）は第１の板状部材（４１）とその第１の板状部材（４１）の下面中央に立設した第１の円筒状部材（４２）とを有しており、第１の円筒状部材（４２）は前記蓋部材（３）の第１のガイド部（３３）の内部に挿通され、第１の円筒状部材（４２）の内部上方には鍵穴（４３ａ）を有する鍵挿通部材（４３）が第１の円筒状部材（４２）の内部を回動自在に収容されており、該鍵挿通部材（４３）の下方には先端に第１のフック（４５）を形成した回転体（４６）が第１の円筒状部材（４２）の中心軸周りに回転可能に収容され、前記第２の鍵構成部材（５）は第２の板状部材（５１）とその第２の板状部材（５１）の上面中央に固着され第２のフック（５３）が形成された軸部（５２）とを有し、その軸部（５２）は前記ケース本体（２）の第２のガイド部（２３）の内部に挿通され、鍵の操作によって回転体（６）が回転して第１のフック（４５）と第２のフック（５３）とが係合することで施錠されるようになっている（図１〜図２０）。
【０００８】
前記第１の鍵構成部材（４Ａ）は第１の板状部材（４１Ａ）とその第１の板状部材（４１Ａ）の下面中央に立設した第１の円筒状部材（４２Ａ）とを有しており、第１の円筒状部材（４２Ａ）は円筒の一部にロックボール（６）の通過用の貫通孔（４２Ａａ）が設けられ且つ前記蓋部材（３）の第１のガイド部（３３）の内部に挿通され、第１の円筒状部材（４２Ａ）の内部上方には鍵穴（４３Ａａ）を有する鍵挿通部材（４３Ａ）が第１の円筒状部材（４２Ａ）の内部を回動自在に収容されており、該鍵挿通部材（４３Ａ）の下方には前記貫通孔（４２Ａａ）と高さ方向で一致する外周位置に部分円弧状断面の溝（４６Ａａ）を形成した回転体（４６Ａ）が第１の円筒状部材（４２Ａ）の中心軸周りに回転可能に収容され、前記第２の鍵構成部材（５Ａ）は第２の板状部材（５１Ａ）とその第２の板状部材（５１Ａ）の上面中央に固着され施錠した状態では前記貫通孔（４２Ａａ）と一致する内周位置にロックボール（６）を収容することの出来る部分球状の窪み（５２Ａａ）が形成された第２の円筒状部材（５２Ａ）を有し、鍵の操作で前記回転体（６）が回転してロックボール（６）が前記窪み（５２Ａａ）に嵌ることによって施錠されるようになっている（図２１〜図２５）。  
【発明の効果】
【０００９】
上述する構成を具備する本発明の鍵付きディスク収納ケース（１，１Ａ）によれば、鍵の部分は金属で出来ているので、収納ケース（１，１Ａ）が盗難にあっても、ディスク（例えばＣＤ）を壊さないで鍵を開錠することが出来ないため、破損等によりディスクに記憶された情報の漏洩は防止出来る。
【００１０】
鍵をケース本体（２）の外周から突出させることなくケース本体（２）及び蓋部材（３）に内蔵しているので、特別な鍵を用意する必要もなく、しかも、鍵は、ケース（２，３）内に収まっているため、見栄えが良い。
【００１１】
鍵の基本構造を変えることなく、ケース本体（２）の深さを自由に設定出来、収納容量によって、収納ケース（１）をシリーズ化出来る。
【００１２】
ケース（１）の上下面は平らに形成してあり、ケース（１）を置く面として、ケース（１）の表裏を選ばない。
【発明を実施するための最良の形態】
【００１３】
以下、添付図面を参照して、本発明の実施形態について説明する。
先ず、図１〜図２０を参照して第１実施形態について説明する。
図１は、鍵付きディスク収容ケース１の縦断面図であり、図２は当該ケース１を斜め上方から見た斜視図である。
【００１４】
図１において、第1実施形態の鍵付きディスク収容ケース１は、内部にディスクを収容するための円筒状のケース本体２と、該ケース本体２の上部全面を覆う蓋部材３と、該蓋部材３に係合し先端に第１のフックを有する金属製の第１の鍵構成部材４と、前記ケース本体２に係合し先端に第２のフックを有する金属製の第２の鍵構成部材５とから構成されている。
即ち、当該鍵付きディスクケース１の鍵機構は、金属製の第１の鍵構成部材４と、金属製の第２の鍵構成部材５とで成り立っている。
【００１５】
図３は鍵付きディスクケース１の蓋部材３をケース本体２に被せる様を示した図であり、図４は鍵付きディスクケース１のケース本体２の裏面を示した斜視図である。
【００１６】
図５及び図６に詳細を示すように、前記ケース本体２は、底部２１とその底部２１の外周から上方に延在する円筒部２２とを有し、底部２１の容器内側の中心に、円筒部２２の上端の縁部２２ａ近傍まで延在する円筒状で内部空間２３ｉがケース本体２の内外を貫通する第２のガイド部２３を備えている。
【００１７】
また、図示の例では、後述する第２の鍵構成部材５の板状部材５１を収容するために、本体ケース２の底部２１の裏面（容器の外方）に、一定幅・一定深さの溝２４が形成されている。
【００１８】
前記円筒部の縁部２２ａは、外周側が縮径されており、後述する蓋部材３の円筒状縁部３２の内径側と係合する様に構成されている。
尚、ケース本体２と蓋部材３の当該係合部に雄ねじ、雌ねじを形成することも可能である。
【００１９】
図７及び図８に詳細を示すように、前記蓋部材３は、天蓋部３１とその天蓋部３１の外周から下方に伸びる円筒状の縁部３２とを有し、天蓋部３１の裏面、すなわち、容器内側の面の中心に、円筒状で内部空間３３ｉが蓋部材３の表裏を貫通する第１のガイド部３３を備えている。
【００２０】
また、図示の例では、後述する第１の鍵構成部材４の板状部材４１を収容するために、天蓋部３１の上面に、一定幅・一定深の溝３４が形成されている。
【００２１】
図９〜図１１に示すように、第１の鍵構成部材４は、図示の例では、細長い板状部材４１とその板状部材４１の下面中央に固着して立設した円筒状の第１の円筒状部材４２とを有している。
【００２２】
ここで、前記板状部材４１は、前記蓋部材３の溝３４に収容された時には、板状部材４１の上面が、蓋部材３の天蓋部３１の表面より上方に出ないことが好ましい。
【００２３】
円筒状の被ガイド部材である第１の円筒状部材４２は、前記蓋部材３の円筒状の第１のガイド部３３の内部空間３３ｉに挿通され、第１の円筒状部材４２の内周部４２ｉの上方には鍵穴４３ａを有する鍵挿通部材４３が、第１の円筒状部材４２の内周部４２ｉ内を回動自在に収容されている。
【００２４】
その鍵挿通部材４３の下方には、公知のロック手段を有するロック機構部４４が第１の円筒状部材４２に対して固着されて取り付けられている。
【００２５】
ロック機構部４４内には、先端に第１のフック４５を形成した回転体４６が、第１の円筒状部材４２の中心軸周りに回転出来る様に収容されている。
【００２６】
図１２は、図９のＸ１-Ｘ１断面を示している。
図１２において、第１の円筒状部材４２には、外周に図示の例では三角形の突起４２ａが２箇所に形成されており、蓋部材３の第１のガイド部材３３の内周３３ｉに形成された三角形状断面の溝３３ｔに係合して、蓋部材３の第１のガイド部材３３に対する第１の鍵構成部材４の第１の円筒状部材４２の回転方向の相対動きは阻止するが、第１のガイド部材３３に対する第１の円筒状部材４２の上下方向の摺動を許容する様に構成されている。
【００２７】
また、ロック機構部４４は、第１の円筒状部材４２に対して公知の手段によって固定されており、図示しない正規の鍵を前記鍵挿通部材４３に差し込み、鍵を回した際に施錠、或いは、開錠され、それに伴って先端に第１のフック４５を形成した前記回転体４６が、ロック機構部４４に対して回転するように構成されている。
【００２８】
図１３は、図９のＸ２-Ｘ２断面を示している。図９及び図１３において、フック４５は、先端の扇形状の引っ掛け部４５ａと、軸部４５ｂとによって構成されている。
【００２９】
図１４及び図１５に示すように、第２の鍵構成部材５は、図示の例では、細長い板状部材５１とその板状部材５１の上面中央に固着され、上方先端に第２のフック５３が形成された軸部５２とで構成されている。
【００３０】
ここで、前記板状部材５１は、ケース本体２の溝２４に収容された時（図１参照）には、板状部材５１の下面が、ケース本体２の底面より下方に出ないことが好ましい。
【００３１】
第２のフック５３は、軸部５２上端の部分円弧を利用して形成された庇部５３ａと、その庇部５３ａの下方に部分円弧状にえぐられた、前記第１のフック４５との係合部５３ｂとで構成されている。
【００３２】
図１６及び図１７は、第１の鍵構成部材４と第２の鍵構成部材５とから成る鍵機構において、第１の鍵構成部材４の第１のフック４５と第２の鍵構成部材５の第２のフック５３が互いに係合し合ったロック状態を示している。
【００３３】
一方、図１８及び図１９は、上記鍵機構において、図示しない正規の鍵を前記鍵挿通部材４３（図１参照）の鍵穴４３ａに差し込み、鍵を回すことにより、第１のフック４５が回転して第２のフック５３から外れてロックが解除された状態を示している。
【００３４】
図２０は、鍵機構を開錠して、ケース本体２から蓋部材３及び第２の鍵構成部材５を分解し、蓋部材３から第１の鍵構成部材４を抜き出していく過程を示した様態図である。
【００３５】
上述した様に構成された第１実施形態の鍵付きディスクケース１によれば、鍵機構を成す第１の鍵構成部材４及び第２の鍵構成部材５は金属で出来ており、共にケース本体２の第２のガイド部２３及び蓋部材３の第１のガイド部３３の内部に挿通されてロックが行われているため、当該収納ケース１が盗難にあっても、ディスク（例えばコンパクトディスク「ＣＤ」）を壊さないで鍵を開錠することが出来ない。
従って、ディスクに記憶された情報の漏洩は防止出来る。
【００３６】
鍵機構（第１の鍵構成部材４及び第２の鍵構成部材５）をケース１の外周、即ち、ケース本体２の下面、及び蓋部材３の上面から突出させることなくケース１に内蔵しているので、特別な鍵機構を用意する必要もなく、しかも、鍵機構は、ケース１内に収まっているため、見栄えが良い。
【００３７】
鍵機構の基本構造を変えることなく、ケース本体２の深さは自由に設定出来、収納容量によって、収納ケース１をシリーズ化出来る。
【００３８】
ケースの上下面は平らに形成してあり、ケース１を置く面として、ケース１の表裏を選ばない。
【００３９】
次に、図２１〜図２５を参照して、第２実施形態を説明する。
【００４０】
図１〜図２０の第１実施形態では、鍵機構の要部にフックを用いた実施形態である。
それに対して、図２１〜図２５の第２実施形態では、上下の鍵構成部材から成る鍵機構の、上下の鍵構成部材の一方にロックボール収容窪みを設け、ロックボールをその窪みから出し入れすることによって、開錠、施錠を決定する様に構成した実施形態である。
【００４１】
第２実施形態の鍵付きディスク収容ケース１Ａは、図１〜図２０の第１実施形態に対して、鍵機構のみが異なる。
以下、図２１、図２２に基づいて、鍵付きディスク収容ケース１Ａの、第１実施形態と異なる部分について説明する。
【００４２】
図２１及び図２２において、鍵付きディスク収容ケース１Ａは、円筒状のケース本体２と、該ケース本体２の上部全面を覆う蓋部材３と、該蓋部材３に係合した金属製の第１の鍵構成部材４Ａと、前記ケース本体２に係合した金属製の第２の鍵構成部材５Ａと、ロックボール６とから構成されている。
即ち、当該鍵付きディスクケースの鍵機構は、金属製の第１の鍵構成部材４Ａと、金属製の第２の鍵構成部材５Ａと、ロックボール６とで成り立っている。
【００４３】
なお、円筒状のケース本体２と、該ケース本体２の上部全面を覆う蓋部材３は、第１実施形態と同様である。
【００４４】
第１の鍵構成部材４Ａは、図示の例では、細長い板状部材４１Ａとその板状部材４１Ａの下面に固着して立設した第１の円筒状部材４２Ａとを有している。
【００４５】
ここで、前記板状部材４１Ａは、第１実施形態と同様の蓋部材３の溝３４に収容された時には、板状部材の上面が、蓋部材３の天蓋部３１の表面より上方に出ないことが好ましい。
【００４６】
第１の円筒状部材４２Ａは、第１実施形態と同様の蓋部材３の円筒状の第１のガイド部３３の内部空間３３ｉに挿通され、第１の円筒状部材４２Ａの内周部４２Ａｉの上方には鍵穴４３Ａａを有する鍵挿通部材４３Ａが、第１の円筒状部材４２Ａの内周部４２Ａｉ内を回動自在に収容されている。
【００４７】
その鍵挿通部材４３Ａの下方には、公知のロック手段を有するロック機構部４４Ａが第１の円筒状部材４２Ａに対して固着されて取り付けられている。
【００４８】
ロック機構部４４Ａの下端には、回転体４６Ａが、第１の円筒状部材４２Ａの中心軸周りに回転出来る様に収容されている。
【００４９】
回転体４６Ａの外周には、断面が円弧状の溝４６Ａａが水平に配置されて形成されている。その円弧状の溝４６Ａａの円弧の極率半径は、ロックボール６の半径と同一である。尚、溝４６Ａａは、回転体４６Ａの全周ではなく部分的に形成されている。
【００５０】
また、ロック機構部４４Ａは、第１の円筒状部材４２Ａに対して公知の手段によって固定されており、図示しない正規の鍵を前記鍵挿通部材４３Ａに差し込み、鍵を回した際に開錠・施錠が行われ、それに伴って前記回転体４６Ａが、ロック機構部４４Ａに対して回転するように構成されている。
【００５１】
第１の円筒状部材４２Ａの、回転体４６Ａに形成された溝４６Ａａと同一高さ位置には、ロックボール６が通過する孔４２Ａａが形成されている。
【００５２】
第２の鍵構成部材５Ａは、図示の例では、細長い板状部材５１Ａとその板状部材５１Ａの上面中央に円筒状の第２の円筒状部材５２Ａが固着されおり、第１実施形態と同様のケース本体２の第２のガイド部２３の内周に挿通されている。
【００５３】
ここで、前記板状部材５１Ａは、第１実施形態と同様のケース本体２の溝２４に収容された時には、板状部材５１Ａの下面が、ケース本体２の底面より下方に出ないことが好ましい。
【００５４】
第２の円筒状部材５２Ａの内周面には、部分球状の窪み５２Ａａが形成されている。その窪み５２Ａａの球面の極率半径は、ロックボール６の半径と同一に形成されている。また、窪み５２Ａａの高さ位置は、施錠した際の、第１の鍵構成部材４Ａの回転体４６Ａに形成された溝４６Ａａと同一高さ位置である。
【００５５】
図２２及び図２３は、施錠した状態を示している。施錠した状態では、ロックボール６は回転体４６Ａに形成された溝４６Ａａとは外れた位置である。この状態では、ロックボール６は、第２の鍵構成部材５Ａの第２の円筒状部材５２Ａの内周面に形成された部分球状の窪み５２Ａａに押し付けられているため、ロックボール６を係合した第１の鍵構成部材４Ａの第１の円筒状部材４２Ａは上方には動けない。即ち、ロックされている。
【００５６】
図２４は、図示しない正規の鍵を回し、第１の鍵構成部材４Ａの回転体４６Ａを回す（矢印Ｙ１）。すると、回転体４６Ａに形成した溝４６Ａａにロックボール６が移動出来、ロックボール６の図２４における水平位置での直径の左側が、第２の円筒状部材５２Ａの内周面と同位置になる様に構成されているため、図２５に示すように、第１の鍵構成部材４毎上方に引抜く（矢印Ｙ２）ことが出来て、開錠が可能となる。
【００５７】
第２の実施形態では、第１の実施形態で得られる効果の他に、ロック機構が簡単で全体をコンパクトに構成することが出来る。
【００５８】
次に、図２６〜図３７を参照して、第３実施形態を説明する。
図２６〜図３７の第３実施形態は、図１〜図２０の第１実施形態に対して、鍵機構、即ち、第１の鍵構成部材の先端の第１のフックと、第２の鍵構成部材の上端の第２のフックが異なる。
以上の部位を除く鍵付きディスク収容ケースの構成は、第１実施形態と同様であるので異なる部位のみを以下で説明する。尚、第１実施形態と同じ構成については同じ符号を付して説明を省略する。
【００５９】
図２６〜図２９に基づいて、第１の鍵構成部材４Ａを説明する。
第１の鍵構成部材４Ａのロック機構部４４内には、先端に１対の第１のフック４５０，４５０を形成した回転体４６０が第１の円筒状部材４２の中心軸周りに回転出来るように収容されている。
【００６０】
図２８、図２９を参照して、１対の第１のフック４５０は、縦断面がＬ字状に形成され、回転体４６０の底部の軸中心点周りに点対称となる様に固着されている。Ｌ字状の概略三角形の水平部が庇部４５０ａであり、回転体４６０に固着されている側が軸部４５０ｂである
【００６１】
図３０〜図３３に基づいて、第２の鍵構成部材５Ａを説明する。
第２の鍵構成部材５Ａは、板状部材５１の上面中央に軸部５２が固着されている。
その軸部５２の上面の軸中心点周りに点対称となる様に１対の第２のフック５３０，５３０が固着されている。
第２のフック５３０の縦断面はＬ字状に形成されている。Ｌ字状の水平部が庇部５３０ａであり、軸部５２に固着されている側が軸部５３０ｂである。
【００６２】
図３４は、第１のフック４５０と第２のフック５３０とが施錠のために接近した状態を、他の部材を省略して立体的に表した斜視図である。
【００６３】
図３５及び図３６は、施錠が完了して、第１のフック４５０と第２のフック５３０とが係合した状態を示している。第１のフック４５０の庇部４５０ａの裏面は第２のフックの庇部５３０ａの裏面が障害となって、互いの離反を防いでいる。
【００６４】
図３７は、施錠状態から開錠する際の過程を示した状態図である。図３７からも明らかなように、第１のフック４５０と第２のフック５３０とは、同一面に投影した場合、互いの庇部が、干渉し合わないように隙間を確保して構成されている。
【００６５】
第３実施形態は、第１実施形態に対して、第１及び第２のフックが１対ずつあるので、信頼性がより向上している。その他の作用効果に関しては、概略第１実施形態と同じである。
【００６６】
図示の実施形態はあくまでも例示であり、本発明の技術的範囲を限定する趣旨の記述ではなく、例えば、第１及び第２の鍵構成部材４，５の板状部材は円盤状の部材であってもよく、また、図示の例では、第１及び第２の鍵構成部材４、５の板状部材４，５は蓋部材３の上面及びケース本体２の下面から突出させないで構成したが、鍵構成部材をケース本体及び蓋部材の表面から突出させても良い。
【図面の簡単な説明】
【００６７】
【図１】本発明の第１実施形態の鍵付きディスクケースの構成を説明する断面図。
【図２】図１に対応する斜視図。
【図３】第１実施形態の鍵付きディスクケースの蓋部材をケース本体に被せる様を示した様態図。
【図４】第１実施形態の鍵付きディスクケースのケース本体の裏面を示した斜視図。
【図５】第１実施形態に係るケース本体の断面図。
【図６】図５に対応する平面図（裏面図）。
【図７】第１実施形態に係るケース蓋部材の断面図。
【図８】図７に対応する平面図（上面図）。
【図９】第１実施形態に係る第１の鍵構成部材の断面図。
【図１０】図９に対応する上面図。
【図１１】図９に対応する下面図。
【図１２】図９のＸ１-Ｘ１断面図。
【図１３】図９のＸ２‐Ｘ２断面図。
【図１４】第１実施形態に係る第２の鍵構成部材の断面図。
【図１５】図１４に対応する上面図。
【図１６】実施形態の鍵機構において、施錠状態を示した様態図。
【図１７】図１６のＸ‐Ｘ断面図。
【図１８】実施形態の鍵機構において、開錠状態を示した様態図。
【図１９】図１９のＸ‐Ｘ断面図。
【図２０】第１実施形態の鍵付き収納ケースを分解する、或いは、組立てる過程を示した様態図。
【図２１】本発明の第２実施形態の鍵付きディスクケースの構成を説明する断面図。
【図２２】図２１の要部拡大図。
【図２３】第２実施形態において、要部のロック状態を示した様態図。
【図２４】第２実施形態において、開錠したばかりの要部の状態を示した様態図。
【図２５】第２実施形態において、開錠して第１の鍵構成部材を第２の鍵構成部材から取り外す状態を示した様態図。
【図２６】第３実施形態に係る第１の鍵構成部材の断面図。
【図２７】図２６に対応する下面図。
【図２８】図２６のＰ部拡大図。
【図２９】図２８に対応する下面図。
【図３０】第３実施形態に係る第２の鍵構成部材の断面図。
【図３１】図３０に対応する上面図。
【図３２】図３０のＱ部拡大図。
【図３３】図３２に対応する上面図。
【図３４】第３実施形態の第１の鍵構成部材と第２の鍵構成部材を同時に且つ斜め上方から見た斜視図。
【図３５】第３実施形態の鍵機構において施錠完了状態を示した側面図。
【図３６】図３５のＸ−Ｘ断面矢視図。
【図３７】第３実施形態の鍵機構において施錠過程を示した側面図。
【符号の説明】
【００６８】
１・・・鍵付きディスク収納ケース
２・・・ケース本体
３・・・蓋部材
４・・・第１の鍵構成部材
５・・・第２の鍵構成部材
６・・・ロックボール
２１・・・底部
２２・・・円筒部
２３・・・第２のガイド部
２４・・・溝
３１・・・天蓋部
３２・・・縁部
３３・・・第１のガイド部
３４・・・溝
４１・・・板状部材
４２，４２Ａ・・・第１の円筒状部材
４３・・・鍵挿通部材
４４・・・ロック機構部
４５・・・第１のフック
４６・・・回転体
５１・・・板状部材
５２・・・軸部
５２Ａ・・・第２の円筒状部材
５３・・・第２のフック
【図１】
2007145386.tif 000003
【図２】
2007145386.tif 000004
【図３】
2007145386.tif 000005
【図４】
2007145386.tif 000006
【図５】
2007145386.tif 000007
【図６】
2007145386.tif 000008
【図７】
2007145386.tif 000009
【図８】
2007145386.tif 000010
【図９】
2007145386.tif 000011
【図１０】
2007145386.tif 000012
【図１１】
2007145386.tif 000013
【図１２】
2007145386.tif 000014
【図１３】
2007145386.tif 000015
【図１４】
2007145386.tif 000016
【図１５】
2007145386.tif 000017
【図１６】
2007145386.tif 000018
【図１７】
2007145386.tif 000019
【図１８】
2007145386.tif 000020
【図１９】
2007145386.tif 000021
【図２０】
2007145386.tif 000022
【図２１】
2007145386.tif 000023
【図２２】
2007145386.tif 000024
【図２３】
2007145386.tif 000025
【図２４】
2007145386.tif 000026
【図２５】
2007145386.tif 000027
【図２６】
2007145386.tif 000028
【図２７】
2007145386.tif 000029
【図２８】
2007145386.tif 000030
【図２９】
2007145386.tif 000031
【図３０】
2007145386.tif 000032
【図３１】
2007145386.tif 000033
【図３２】
2007145386.tif 000034
【図３３】
2007145386.tif 000035
【図３４】
2007145386.tif 000036
【図３５】
2007145386.tif 000037
【図３６】
2007145386.tif 000038
【図３７】
2007145386.tif 000039